(57)【特許請求の範囲】
【請求項１】
キーワードが入力されると、当該キーワードにマッチする商品のジャンルの名称を、当該キーワードにマッチする商品のうち、当該ジャンルの名称に対応付けられている商品の数が多い順にソートして、所定の順位以上の前記ジャンルの名称を取得する取得部、
ジャンルの名称が入力されると、当該入力されたジャンルの名称と、前記取得されたジャンルの名称と、がマッチしない場合に、前記入力されたキーワード及び前記入力されたジャンルの名称のうち少なくともいずれかが誤入力であると判別する判別部、
を備えることを特徴とする処理装置。
【請求項２】
請求項１に記載された処理装置であって、
前記入力されたキーワードまたは前記入力されたジャンルの名称のうち少なくともいずれかが誤入力であると判別された場合、前記ソートされたジャンルの名称から、前記入力されたジャンルの名称よりも上位にあるジャンルの名称を特定し、前記入力されたジャンルの名称を前記特定されたジャンルの名称に置き換えることを提示する提示部、
をさらに備える
ことを特徴とする処理装置。
【請求項３】
請求項２に記載の処理装置であって、
前記提示部は、前記入力されたジャンルの名称より上位にあるジャンルの名称が複数ある場合に、上位所定個数のジャンルの名称のうちいずれかに置き換えることを提示する
ことを特徴とする処理装置。
【請求項４】
請求項１に記載の処理装置であって、
前記キーワードは、商品の名称である
ことを特徴とする処理装置。
【請求項５】
請求項４に記載の処理装置であって、
前記判別部は、前記入力されたジャンルの名称と、前記取得されたジャンルの名称と、がマッチせず、かつ、前記入力された商品の名称が、前記入力されたジャンルの名称に対応する商品の名称のいずれともマッチしない場合、前記入力された商品の名称及び前記入力されたジャンルの名称のうち少なくともいずれかが誤入力であると判別する
ことを特徴とする処理装置。
【請求項６】
請求項４に記載の処理装置であって、
前記判別部は、商品の説明が入力されると、前記入力されたジャンルの名称と、前記取得されたジャンルの名称と、がマッチせず、かつ、前記入力された商品の名称が、前記入力された商品の説明に出現しない場合、前記入力された商品の名称及び前記入力された商品の説明のうち少なくともいずれかが誤入力であると判別する
ことを特徴とする処理装置。
【請求項７】
請求項１に記載の処理装置であって、
前記キーワードは、商品の説明の一部である
ことを特徴とする処理装置。
【請求項８】
取得部と、判別部とを備える処理装置が実行する処理方法であって、
前記取得部が、キーワードが入力されると、当該キーワードにマッチする商品のジャンルの名称を、当該キーワードにマッチする商品のうち、当該ジャンルの名称に対応付けられている商品の数が多い順にソートして、所定の順位以上の前記ジャンルの名称を取得する取得ステップと、
前記判別部が、ジャンルの名称が入力されると、当該入力されたジャンルの名称と、前記取得されたジャンルの名称と、がマッチしない場合に、前記入力されたキーワード及び前記入力されたジャンルの名称のうち少なくともいずれかが誤入力であると判別する判別ステップと、
を備えることを特徴とする処理方法。
【請求項９】
コンピュータを、
キーワードが入力されると、当該キーワードにマッチする商品のジャンルの名称を、当該キーワードにマッチする商品のうち、当該ジャンルの名称に対応付けられている商品の数が多い順にソートして、所定の順位以上の前記ジャンルの名称を取得する取得部、
ジャンルの名称が入力されると、当該入力されたジャンルの名称と、前記取得されたジャンルの名称と、がマッチしない場合に、前記入力されたキーワード及び前記入力されたジャンルの名称のうち少なくともいずれかが誤入力であると判別する判別部、
として機能させることを特徴とするプログラム。
【請求項１０】
コンピュータを、
キーワードが入力されると、当該キーワードにマッチする商品のジャンルの名称を、当該キーワードにマッチする商品のうち、当該ジャンルの名称に対応付けられている商品の数が多い順にソートして、所定の順位以上の前記ジャンルの名称を取得する取得部、
ジャンルの名称が入力されると、当該入力されたジャンルの名称と、前記取得されたジャンルの名称と、がマッチしない場合に、前記入力されたキーワード及び前記入力されたジャンルの名称のうち少なくともいずれかが誤入力であると判別する判別部、
として機能させることを特徴とするプログラムを記録したコンピュータ読み取り可能な記録媒体。
【発明の詳細な説明】
【技術分野】
【０００１】
本発明は、入力された商品に関する情報に誤入力があるか否かを判定する処理装置、処理方法、プログラム、及び記録媒体に関する。
【背景技術】
【０００２】
従来、インターネット上でのショッピングサイトやオークションサイトで取り扱われる商品に関する情報、例えば、商品の名称、商品のジャンルの名称、商品の説明文といった情報は、その商品を販売または出品するユーザにより、それらのサイトで取り扱われる商品全体を管理する商品データベースに登録されている（例えば、特許文献１参照）。
【先行技術文献】
【特許文献】
【０００３】
【特許文献１】特開２０１０−１１３３９０号公報
【発明の概要】
【発明が解決しようとする課題】
【０００４】
商品に関する情報が、商品データベースに登録される際、その情報は、商品を販売または出品するユーザによって正しく入力されていることを要する。しかし、その情報は人手で入力されるため、タイプミス等により誤って入力される可能性がある。【０００５】
本発明は、上記実情に鑑みてなされたものであり、商品に関する情報が誤って入力されることを防止することができる処理装置、処理方法、プログラム、及び記録媒体を提供することを目的とする。
【課題を解決するための手段】
【０００６】
上記目的を達成するために、本発明の第１の観点に係る処理装置は、
キーワードが入力されると、当該キーワードにマッチする商品のジャンルの名称を、当該キーワードにマッチする商品のうち、当該ジャンルの名称に対応付けられている商品の数が多い順にソートして、所定の順位以上の前記ジャンルの名称を取得する取得部、
ジャンルの名称が入力されると、当該入力されたジャンルの名称と、前記取得されたジャンルの名称と、がマッチしない場合に、前記入力されたキーワード及び前記入力されたジャンルの名称のうち少なくともいずれかが誤入力であると判別する判別部、
を備えることを特徴とする。【０００７】
上記観点に係る処理装置において、
前記入力されたキーワードまたは前記入力されたジャンルの名称のうち少なくともいずれかが誤入力であると判別された場合、前記ソートされたジャンルの名称から、前記入力されたジャンルの名称よりも上位にあるジャンルの名称を特定し、前記入力されたジャンルの名称を前記特定されたジャンルの名称に置き換えることを提示する提示部、
をさらに備える
ことを特徴とする。【０００８】
上記の観点に係る処理装置において、
前記提示部は、前記入力されたジャンルの名称より上位にあるジャンルの名称が複数ある場合に、上位所定個数のジャンルの名称のうちいずれかに置き換えることを提示する
ことを特徴とする。【０００９】
上記の観点に係る処理装置において、
前記キーワードは、商品の名称である
ことを特徴とする。【００１０】
上記の観点に係る処理装置において、
前記判別部は、前記入力されたジャンルの名称と、前記取得されたジャンルの名称と、がマッチせず、かつ、前記入力された商品の名称が、前記入力されたジャンルの名称に対応する商品の名称のいずれともマッチしない場合、前記入力された商品の名称及び前記入力されたジャンルの名称のうち少なくともいずれかが誤入力であると判別する
ことを特徴とする。【００１１】
上記の観点に係る処理装置において、
前記判別部は、商品の説明が入力されると、前記入力されたジャンルの名称と、前記取得されたジャンルの名称と、がマッチせず、かつ、前記入力された商品の名称が、前記入力された商品の説明に出現しない場合、前記入力された商品の名称及び前記入力された商品の説明のうち少なくともいずれかが誤入力であると判別する
ことを特徴とする。【００１２】
上記の観点に係る処理装置において、
前記キーワードは、商品の説明の一部である
ことを特徴とする。【００１３】
本発明の第２の観点に係る処理方法は、
取得部と、判別部とを備える処理装置が実行する処理方法であって、
前記取得部が、キーワードが入力されると、当該キーワードにマッチする商品のジャンルの名称を、当該キーワードにマッチする商品のうち、当該ジャンルの名称に対応付けられている商品の数が多い順にソートして、所定の順位以上の前記ジャンルの名称を取得する取得ステップと、
前記判別部が、ジャンルの名称が入力されると、当該入力されたジャンルの名称と、前記取得されたジャンルの名称と、がマッチしない場合に、前記入力されたキーワード及び前記入力されたジャンルの名称のうち少なくともいずれかが誤入力であると判別する判別ステップと、
を備えることを特徴とする。【００１４】
本発明の第３の観点に係るプログラムは、
コンピュータを、
キーワードが入力されると、当該キーワードにマッチする商品のジャンルの名称を、当該キーワードにマッチする商品のうち、当該ジャンルの名称に対応付けられている商品の数が多い順にソートして、所定の順位以上の前記ジャンルの名称を取得する取得部、
ジャンルの名称が入力されると、当該入力されたジャンルの名称と、前記取得されたジャンルの名称と、がマッチしない場合に、前記入力されたキーワード及び前記入力されたジャンルの名称のうち少なくともいずれかが誤入力であると判別する判別部、
として機能させることを特徴とする。【００１５】
本発明の第４の観点に係るコンピュータ読み取り可能な記録媒体は、
コンピュータを、
キーワードが入力されると、当該キーワードにマッチする商品のジャンルの名称を、当該キーワードにマッチする商品のうち、当該ジャンルの名称に対応付けられている商品の数が多い順にソートして、所定の順位以上の前記ジャンルの名称を取得する取得部、
ジャンルの名称が入力されると、当該入力されたジャンルの名称と、前記取得されたジャンルの名称と、がマッチしない場合に、前記入力されたキーワード及び前記入力されたジャンルの名称のうち少なくともいずれかが誤入力であると判別する判別部、
として機能させることを特徴とするプログラムを記録する。
【発明の効果】
【００１６】
本発明によれば、商品に関する情報が誤って入力されることを防止することができる。
【図面の簡単な説明】
【００１７】
【図１】実施形態に係る情報処理システムの構成を示す図である。
【図２】商品データベースに格納されるデータの一例を示す図である。
【図３】処理装置のハードウェア構成を示す概略ブロック図である。
【図４】処理装置の機能構成を示す概略ブロック図である。
【図５】商品登録ページの一例を示す図である。
【図６】取得部がジャンルの名称を対応する商品の数でソートした結果の一例を示す図である。
【図７】商品登録ページの一例を示す図である。
【図８】商品登録処理のフローチャートの一例である。
【発明を実施するための形態】
【００１８】
本発明の実施の形態について、図面を参照して詳細に説明する。
【００１９】
図１に、本発明の実施形態に係る情報処理システム１の構成を示す。情報処理システム１は、オンラインショッピングサイトにおいて販売される商品を管理するシステムである。図１に示すように、情報管理システム１は、処理装置１００と、商品データベース２００と、情報提供装置３００と、店舗端末４００と、購入者端末５００と、から構成され、各装置は、インターネット６００を介して互いに通信可能に接続されている。
【００２０】
処理装置１００は、商品を販売者する店舗から入力される商品の情報をチェックし、商品データベース２００に登録するコンピュータシステムである。具体的には、処理装置１００は、店舗端末４００から、店舗によって入力された商品に関する情報を取得する。そして、処理装置１００は、取得した情報に誤入力がある場合には、その旨を店舗に提示して再入力を促す。また、処理装置１００は、取得した情報に誤入力がない場合には、取得した情報を商品データベース２００に登録する。
【００２１】
商品データベース２００は、店舗が販売する商品に関する情報を記憶する装置である。図２に、商品データベース２００に記憶されるデータの一例を示す。図２に示す例において、商品データベース２００は、商品毎に、その商品を販売する店舗の店舗ＩＤと、その商品の商品ＩＤと、その商品の名称と、その商品が属するジャンルの名称と、その商品の説明と、を記憶する。商品データベース２００が記憶する各種データは、店舗端末４００から取得した情報に基づいて、処理装置１００により登録、更新、または削除される。
【００２２】
情報提供装置３００は、購入者端末５００からのリクエストに応じて、オンラインショッピングサイトの各種ウェブページの提供、商品データベース２００からの商品の検索、注文の受付を実行するコンピュータシステムである。
【００２３】
店舗端末４００は、オンラインショッピングサイトにて商品を販売する店舗が操作するコンピュータである。図１において、１台の店舗端末４００が示されているが、店舗端末４００の台数はこれに限られない。
【００２４】
購入者端末５００は、オンラインショッピングサイトにて商品の閲覧、検索、購入を行うユーザが操作するコンピュータである。図１において、１台の購入者端末５００が示されているが、購入者端末５００の台数はこれに限られない。
【００２５】
次に、処理装置１００の構成について詳細に説明する。
【００２６】
図３は、処理装置１００のハードウェア構成を示す概略ブロック図である。図３に示すように、処理装置１００は、制御部１１０と、ＲＯＭ（Read Only Memory）１２０と、ＲＡＭ（Random Access Memory）１３０と、表示部１４０と、通信部１５０と、操作部１６０と、を備え、各部はバス１７０により接続されている。
【００２７】
制御部１１０は、例えば、ＣＰＵ（Central Processing Unit）から構成されており、処理装置１００全体の制御を行う。
【００２８】
ＲＯＭ１２０は、制御部１１０が処理装置１００全体を制御するためのプログラムや、各種データを格納する不揮発性メモリである。
【００２９】
ＲＡＭ１３０は、制御部１１０が生成した情報や、当該情報を生成するために必要なデータを一時的に格納するための揮発性メモリである。
【００３０】
表示部１４０は、ＬＣＤ（Liquid Crystal Display）及びバックライト等を備える表示装置から構成される。表示部１４０は、制御部１１０による制御の下、例えば、制御部１１０から出力されたデータを表示する。
【００３１】
通信部１５０は、処理装置１００をインターネット６００に接続するための通信インターフェースから構成される。
【００３２】
操作部１６０は、ボタン、タッチパネル、キーボード等の入力装置から構成される。操作部１６０は、ユーザからの操作入力を受け付け、受け付けた操作入力に対応する操作入力信号を制御部１１０に出力する。
【００３３】
次に、処理装置１００の機能構成について説明する。
【００３４】
図４は、処理装置１００の機能構成を示す概略ブロック図である。図４に示すように、処理装置１００は、取得部１０１と、判定部１０２と、提示部１０３と、登録処理部１０４と、を備える。
【００３５】
取得部１０１は、商品の名称が入力されると、その商品の名称にマッチする商品のジャンルの名称を、その商品の名称にマッチする商品のうち、そのジャンルの名称に対応付けられている商品の数が多い順にソートして、所定の順位以上のジャンルの名称を取得する。
【００３６】
具体的には、取得部１０１は、店舗端末４００に、商品を商品データベース２００に登録するための商品登録ページを提供する。図５に、店舗端末４００に提供される商品登録ページ４０１の一例を示す。図５に示す商品登録ページ４０１は、店舗端末４００の表示部に表示され、店舗端末４００のユーザは、商品データベース２００への登録を希望する商品の名称、その商品のジャンルの名称、その商品の説明を、商品登録ページ４０１に含まれる入力フォーム４０２に入力する。そして、店舗端末４００のユーザによりボタン４０３が選択されると、店舗端末４００は、入力フォーム４０２に入力されたデータ（登録希望データ）を、処理装置１００に出力する。取得部１０１は、店舗端末４００から受信した登録希望データから、商品の名称を取得する。
【００３７】
そして、取得部１０１は、店舗端末４００から商品の名称を取得すると、取得した商品の名称にマッチする商品を商品データベース２００から特定する。そして、取得部１０１は、特定した商品毎に、その商品に対応付けられているジャンルの名称を特定する。例えば、取得部１０１は、店舗端末４００から、商品の名称として“胃薬Ｂ”を受け付けると、“胃薬Ｂ”にマッチする商品として、例えば図２に示す商品データベース２００から、商品ＩＤが“Ｇ１０２”、“Ｇ３０１”、“Ｇ４０１”である商品を特定する。そして、取得部１０１は、特定した商品ＩＤ“Ｇ１０２”、“Ｇ３０１”、“Ｇ４０１”に対応するジャンルの名称“医薬品”、“食料品”を特定する。
【００３８】
そして、取得部１０１は、特定したジャンルの名称を、特定した商品のうち、そのジャンルの名称に対応付けられている商品の数が多い順にソートする。そして、取得部１０１は、ソートされたジャンルの名称のうちから、所定の順位以上のジャンルの名称、例えば、１位以上、すなわち、対応付けられている商品が最も多いジャンルの名称を取得する。図６に、取得部１０１が、入力された商品の名称“胃薬Ｂ”にマッチする商品のジャンルの名称を、対応する商品の数でソートした結果の一例を示す。取得部１０１は、図６に示す結果に基づいて、順位が１位のジャンルの名称“医薬品”を取得する。
【００３９】
本実施形態では、制御部１１０及び通信部１５０が協働して、取得部１０１として機能する。
【００４０】
判別部１０２は、ジャンルの名称が入力されると、その入力されたジャンルの名称と、取得部１０１により取得されたジャンルの名称と、がマッチしない場合に、入力された商品の名称及び入力されたジャンルの名称のうち少なくともいずれかが誤入力であると判別する。
【００４１】
具体的には、判別部１０２は、店舗端末４００から取得した登録希望データから、商品のジャンルの名称を取得する。そして、判別部１０２は、入力されたジャンルの名称と、取得部１０１により取得されたジャンルの名称とがマッチするか否かを判別する。そして、判別部１０２は、マッチしないと判別した場合、入力された商品の名称及び入力されたジャンルの名称のうち少なくともいずれかが誤入力であると判別する。例えば、店舗端末４００から入力された商品の名称及びジャンルの名称がそれぞれ“胃薬Ｂ”、“食料品”であって、取得部１０１により取得されたジャンルの名称が“医薬品”である場合、判別部１０２は、ジャンルの名称がマッチしないと判別する。そして、判別部１０２は、入力された商品の名称“胃薬Ｂ”及び入力された商品の名称“食料品”の少なくともいずれかが誤入力であると判別する。
【００４２】
本実施形態では、制御部１１０及び通信部１５０が協働して、判別部１０２として機能する。
【００４３】
提示部１０３は、判別部１０２により、入力された商品の名称及び入力されたジャンルの名称のうち少なくもといずれかが誤入力であると判別された場合、ソートされたジャンルの名称から、入力されたジャンルの名称よりも上位にあるジャンルの名称を特定し、入力されたジャンルの名称を特定されたジャンルの名称に置き換えることを提示する。
【００４４】
例えば、判別部１０２が、入力された商品の名称“胃薬Ｂ”または入力されたジャンルの名称“食料品”のうち少なくともいずれかが誤入力であると判別された場合、図６に示すようにソートされたジャンルの名称から、入力されたジャンルの名称“食料品”よりも上位にあるジャンルの名称“医薬品”を特定する。そして、提示部１０３は、店舗端末４００に、入力されたジャンルの名称“食料品”を、特定したジャンルの名称“医薬品”に置き換えることを提示する。ジャンルの名称の置き換えを提示する方法の一例として、提示部１０３は、図７に示す商品登録ページ４１１を店舗端末４００に提供する。商品登録ページ４１１は、入力フォーム４１２の近傍に表示される、「ジャンルの入力に誤りがあります。“医薬品”に変更して下さい」というメッセージ４１４を含む。提示部１０３は、メッセージ４１４により、店舗端末４００のユーザに対し、入力されたジャンルの名称“食料品”を、特定したジャンルの名称“医薬品”に置き換えることを示唆する。
【００４５】
なお、提示部１０３は、ソートされたジャンルの名称において、入力されたジャンルの名称よりも上位にあるジャンルの名称が複数ある場合、上位所定個数（例えば、３個）のうちいずれかのジャンルの名称に、入力されたジャンルの名称を置き換えることを提示する。
【００４６】
本実施形態では、制御部１１０及び通信部１５０が協働して、提示部１０３として機能する。
【００４７】
登録処理部１０４は、判別部１０２によりジャンルの名称がマッチすると判別された場合、登録希望データに含まれるデータを、商品データベース２００に登録する。
【００４８】
本実施形態では、制御部１１０が登録処理部１０４として機能する。
【００４９】
次に、本実施形態に係る処理装置１００の動作について説明する。
【００５０】
処理装置１００の制御部１１０が実行する商品登録処理について説明する。図８は、商品登録処理のフローチャートの一例である。図８に示す商品登録処理は、例えば、店舗端末４００から、商品の登録を要求する旨の入力を受け付けたことを契機として開始する。また、この処理は、例えば制御部１１０のＣＰＵがＲＯＭ１２０に記憶されたプログラムを読み込むことにより実行される。
【００５１】
取得部１０１は、店舗端末４００に、図５に示す商品登録フォーム４０１を出力する（ステップＳ１０１）。
【００５２】
そして、取得部１０１は、店舗端末４００から、登録希望データを受信したか否かを判別する（ステップＳ１０２）。取得部１０１は、登録希望データを受信したと判別するまで待機する（ステップＳ１０２；Ｎｏ）。店舗端末４００は、ユーザにより“確認画面へ”ボタン４０３が選択されたことを契機として、入力フォーム４０２に入力された登録希望データを、処理装置１００に出力する。
【００５３】
取得部１０１は、店舗端末４００から登録希望データを受信したと判別した場合（ステップＳ１０２；Ｙｅｓ）、取得部１０１は、登録希望データに含まれる商品の名称にマッチする商品を商品データベース２００から特定する（ステップＳ１０３）。
【００５４】
次に、取得部１０１は、ステップＳ１０３において特定した商品毎に、その商品に対応付けられているジャンルの名称を特定する（ステップＳ１０４）。
【００５５】
次に、取得部１０１は、ステップＳ１０４において特定したジャンルの名称を、ステップＳ１０３において特定した商品のうち、そのジャンルの名称に対応付けられている商品の数が多い順にソートする（ステップＳ１０５）。
【００５６】
次に、取得部１０１は、ステップＳ１０５においてソートされたジャンルの名称のうちから、最上位のジャンルの名称を取得する（ステップＳ１０６）。
【００５７】
そして、判別部１０２は、ステップＳ１０２において取得した登録希望データに含まれる、店舗端末４００のユーザにより入力されたジャンルの名称と、ステップＳ１０６において取得されたジャンルの名称とがマッチするか否かを判別する（ステップＳ１０７）。
【００５８】
判別部１０２により、店舗端末４００のユーザにより入力されたジャンルの名称と、ステップＳ１０６において取得されたジャンルの名称とがマッチしないと判別された場合（ステップＳ１０７；Ｎｏ）、提示部１０２は、ステップＳ１０５においてソートされたジャンルの名称のうち、店舗端末４００のユーザにより入力されたジャンルの名称よりも上位のジャンルの名称を特定する（ステップＳ１０８）。
【００５９】
そして、提示部１０３は、入力されたジャンルの名称を、ステップＳ１０８において特定されたジャンルの名称に置き換えることをユーザに示唆するメッセージ４１４を含む商品登録フォーム４１１（図７参照）を店舗端末４００に出力する（ステップＳ１０９）。そして、処理をステップＳ１０２に戻す。
【００６０】
判別部１０２により、ユーザにより入力されたジャンルの名称と、ステップＳ１０６において取得されたジャンルの名称とがマッチすると判別された場合（ステップＳ１０７；Ｙｅｓ）、登録処理部１０４は、ステップＳ１０２において取得した登録希望データに含まれるデータを、商品データベース２００に登録する（ステップＳ１１０）。そして、本処理を終了する。
【００６１】
以上説明したように、本実施形態の処理装置１００は、店舗端末４００のユーザにより商品の名称及びその商品のジャンルの名称が入力されると、商品データベース２００から、入力された商品の名称に対応するジャンルの名称を特定する。そして、処理装置１００は、特定されたジャンルの名称のうち、対応する商品の数が多いジャンルの名称と、入力されたジャンルの名称とがマッチしない場合、入力された商品の名称及びジャンルの名称のうちいずれかが誤入力であると判別する。従って、店舗端末４００のユーザにより入力される商品の名称及びジャンルの名称が誤ったまま商品データベース２００に登録されることを防止することができる。
【００６２】
また、本実施形態の処置装置１００は、入力された商品の名称及びジャンルの名称のうちいずれかが誤入力であると判別した場合、対応する商品の数が多いジャンルの名称を、入力されたジャンルの名称に置き換えることを提示する。従って、店舗端末４００のユーザは、登録しようとしている商品が属する適切なジャンルの名称を容易に入力することができる。
【００６３】
以上、本発明の実施形態について説明したが、本発明は本実施形態によって限定されるものではない。以下に、本実施形態の変形例について説明する。なお、以下の変形例において、上記の実施形態と同様の構成については、同様の符号を用いて示し、その詳細な説明を省略する。
【００６４】
（変形例１）
上記の実施形態において、判別部１０２は、入力されたジャンルの名称と、取得部１０１により取得されたジャンルの名称とがマッチしないと判別した場合、入力された商品の名称及び入力されたジャンルの名称のうち少なくともいずれかが誤入力であると判別する。しかし、判別部１０２は、さらに詳細に誤入力か否かの判別を行っても良い。例えば、入力されたジャンルの名称と、取得部１０１により取得されたジャンルの名称とがマッチしないと判別した場合、商品データベース２００から、入力されたジャンルの名称に対応する商品の名称を特定する。そして、判別部１０２は、入力された商品の名称が、特定された商品の名称のいずれにもマッチしないと判別した場合に、入力されたキーワード及び入力されたジャンルの名称のうち少なくともいずれかが誤入力であると判別してもよい。なお、判別部１０２は、入力された商品の名称と、特定された商品の名称とがマッチするか否かを判別する際、入力された商品の名称と、特定された商品の名称とが完全に一致する場合だけでなく、類似している場合、すなわち、所定の基準以上で一致している場合に、マッチしていると判別してもよい。
【００６５】
すなわち、入力されたジャンルの名称及び商品の名称が、すでに商品データベース２００に登録されている商品の名称及びその商品のジャンルの名称にそれぞれマッチしているならば、入力されたジャンルの名称及び商品の名称は、正しく入力されている可能性が高い。従って、判別部１０２は、入力されたジャンルの名称と、取得部１０１により取得されたジャンルの名称とがマッチしないと判別した場合であっても、入力されたジャンルの名称及び商品の名称が、すでに商品データベース２００に登録されている商品の名称及びその商品のジャンルの名称にそれぞれマッチしている場合には、誤入力と判断しなくてもよい。この構成により、店舗端末４００のユーザが、商品データベース２００に登録されている商品数が少ない商品を新たに登録しようとする場合に、正確に入力されているにもかかわらず誤入力であると提示されることにより、ユーザを煩わせることを防ぐことができる。
【００６６】
（変形例２）
上記変形例１における判別方法の他、さらに詳細に誤入力か否かを判別する別の方法として、例えば、判別部１０２は、入力されたジャンルの名称と、取得部１０１により取得されたジャンルの名称とがマッチしないと判別した場合、さらに、入力された商品の名称が、入力された商品の説明に出現しているか否かを判別し、出現していないと判別した場合、入力された商品の名称及び入力された商品の説明のうち少なくともいずれかが誤入力であると判別してもよい。
【００６７】
一般的に、商品の名称は、商品の説明においても用いられる。そのため、入力された商品の名称が、入力された商品の説明に出現しない場合、入力された商品の名称及び入力された商品の説明のうち少なくともいずれかが誤りを含む可能性が高い。従って、入力された商品の名称が、入力された商品の説明に出現しない場合に、入力された商品の名称及び入力された商品の説明のうち少なくともいずれかが誤入力であることを提示することにより、ユーザが誤った商品の名称を登録することを防止することができる。
【００６８】
以上で説明した実施形態及び変形例において、その構成の一部を以下のように変更してもよい。
【００６９】
例えば、上記実施形態及び変形例の説明において、取得部１０１は、店舗端末４００から取得した登録希望データに含まれる商品の名称にマッチする商品を商品データベース２００から特定する。しかし、取得部１０１が商品データベース２００から商品を特定する際に用いるキーワードは商品の名称に限られない。例えば、取得部１０１は、商品の名称の代わりに、登録希望データに含まれる商品の説明の一部をキーワードとして、その商品の説明の一部にマッチする商品を商品データベース２００から特定してもよい。この場合、判別部１０２は、入力された商品の説明の一部及び入力されたジャンルの名称に誤入力があるか否かを判別することができる。
【００７０】
また、上記実施形態及び変形例の説明において、提示部１０３は、判別部１０２により入力された商品の名称及びジャンルの名称のうちいずれかが誤入力であると判別された場合、対応する商品の数が多いジャンルの名称を、入力されたジャンルの名称に置き換えることを店舗端末４００に提示する。しかし、提示部１０３は、置き換えを提示せずに、誤入力である旨を提示してもよい。この場合、店舗端末４００のユーザは、誤入力である旨を提示されることにより、自身が入力したデータに誤入力があることに気づき、誤入力を正すことができる。
【００７１】
また、上記実施形態及び変形例の説明において、店舗端末４００が、ボタン４０３が選択されたことを契機として登録希望データを処理装置１００に出力することで、取得部１０１は、店舗端末４００から商品データベース２００に登録すべき商品に関する情報を取得するが、商品に関する情報の取得方法はこれに限られない。例えば、処理装置１００は、店舗端末４００から、入力フォーム４０２にデータが入力されるたびに、そのデータを受信し、受信したデータに基づいて誤入力の判別を行ってもよい。すなわち、処理装置１００は、ボタン４０３が選択されてからではなく、リアルタイムで誤入力の判別を行ってもよい。また、処理装置１００は、商品登録フォーム４０１を介して商品に関する情報を取得する代わりに、複数の商品に関する情報を含むリストを店舗端末４００から取得してもよい。この場合、処理装置１００は、そのリストに含まれる商品毎に、上記実施形態と同様に誤入力を判別することができる。
【００７２】
また、提示部１０３によりジャンルの名称の置き換えを提示する方法は、上記実施形態で説明したような、商品登録フォーム４１１上にメッセージ４１４を表示する方法に限られない。例えば、提示部１０３は、ジャンルの名称の置き換えを示唆するメッセージを含むメールを店舗端末４００に送信することにより、ジャンルの名称の置き換えを提示してもよい。また、店舗端末４００は、その店舗において構築されたシステムからＦＴＰ（File Transfer Protocol）を利用して、商品データベース２００に登録すべき商品に関する情報を、処理装置１００に送信してもよい。この場合、処理装置１００は、商品データベース２００に、店舗端末４００から送信された情報を登録するとともに、店舗端末４００に「商品のジャンル名が不適切な可能性があります。」等の警告を提示してもよい。
【００７３】
なお、上記実施形態において、処理装置１００が実行するプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納されて配布されてもよい。そして、そのプログラムがパーソナルコンピュータ等の情報処理装置にインストールされることにより、上述の処理を実行する処理装置１００が構成されてもよい。
【００７４】
また、プログラムは、インターネット等の通信ネットワーク上の所定のサーバ装置が有するディスク装置等に格納されてもよい。そして、プログラムは、例えば、搬送波に重畳されて、ダウンロードされてもよい。
【００７５】
また、上述の機能を、ＯＳ（Operating System）が分担して実現する場合又はＯＳとアプリケーションとの協働により実現する場合、ＯＳの機能を実現する部分以外のプログラムのみが、記録媒体に格納されて配布されてもよく、また、ダウンロードされてもよい。
【００７６】
本発明は、本発明の広義の精神と範囲に逸脱することなく、様々な実施の形態及び変形が可能とされるものである。また、上述した実施形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【産業上の利用可能性】
【００７７】
本発明は、インターネット等のネットワークを利用した電子商取引に適する。
【符号の説明】
【００７８】
１      情報処理システム
１００  処理装置
１０１  取得部
１０２  判別部
１０３  提示部
１０４  登録処理部
１１０  制御部
１２０  ＲＯＭ
１３０  ＲＡＭ
１４０  表示部
１５０  通信部
１６０  操作部
１７０  バス
２００  商品データベース
３００  情報提供装置
４００  店舗端末
４０１，４１１  商品登録ページ
４０２，４１２  入力フォーム
４０３，４１３  ボタン
４１４  メッセージ
５００  購入者端末
６００  インターネット
【要約】
取得部（１０１）は、キーワードが入力されると、当該キーワードにマッチする商品のジャンルの名称を、当該キーワードにマッチする商品のうち、当該ジャンルの名称に対応付けられている商品の数が多い順にソートして、所定の順位以上のジャンルの名称を取得する。判別部（１０２）は、ジャンルの名称が入力されると、当該入力されたジャンルの名称と、取得されたジャンルの名称と、がマッチしない場合に、入力されたキーワード及び入力されたジャンルの名称のうち少なくともいずれかが誤入力であると判別する。提示部（１０３）は、判別部（１０２）により誤入力であると判別された場合、入力されたジャンルの名称よりも上位にあるジャンルの名称に、入力されたジャンルの名称を置き換えることを提示する。【図１】
0005542251.tif 000002
【図２】
0005542251.tif 000003
【図３】
0005542251.tif 000004
【図４】
0005542251.tif 000005
【図５】
0005542251.tif 000006
【図６】
0005542251.tif 000007
【図７】
0005542251.tif 000008
【図８】
0005542251.tif 000009